(57)【特許請求の範囲】
【請求項１】
頭髪染色液を充填した容器本体の口縁部に取付けられる櫛付きキャップにおいて、
列設された主櫛歯片には、前記容器本体内に連通して該主櫛歯の側面に隣接する該主櫛歯片に向けて開口する注出口が設けられ、また、前記主櫛歯片の両側にその先端が同じ高さとされた副櫛歯片が列設されるとともに、該副櫛歯片が、列設された該主櫛歯片に対してそれぞれに直交する方向に設けられていることを特徴とする櫛付きキャップ。
【請求項２】
容器本体に取付けられるキャップ体と、主櫛歯片と副櫛歯片とを設けた櫛体をそれぞれ一体成形していることを特徴とする請求項１記載の櫛付きキャップ。
【発明の詳細な説明】
【０００１】
【発明の属する技術分野】
この発明は、容器本体に充填された頭髪染色液を、容器本体から頭髪に直接塗布するための櫛付きキャップに関する。
【０００２】
【従来の技術】
容器内に溜められている頭髪染色液を、頭髪に直接塗布できるように、容器のキャップに櫛を設けた櫛付きキャップが広く使用されている。例えば特開平１０−１３７０２９号公報、特開平９−２３９２２号公報などに開示されている櫛付きキャップでは、一列に列設した櫛体の各中間部に注出口を形成し、この注出口から液剤を注出可能にしている。
【０００３】
また、特開平８−１９６３３１号公報には、櫛体の両側にブラシを着脱可能に設けた櫛付きキャップが開示されている。この従来の技術では、液剤を充填した容器に取付けた櫛体から液剤が吐出され、頭髪の一部にポイント状に塗布する際には櫛体のみを使用し、また頭髪全体に塗布する際にはブラシを装着して使用するというものである。このため、櫛体の両側にブラシを着脱可能に並設して、櫛体から注出された液剤が、さらにブラシによって梳かれて、頭髪全体に分散して塗布することができるものである。
【０００４】
【発明が解決しようとする課題】
しかし、従来から広く使用されている櫛付きキャップでは、櫛体を一列に列設するのみであるために、頭髪を梳いただけでは注出口から注出された液剤が十分に分散して頭髪に塗布できなかった。また、特開平８−１９６３３１号公報に示された櫛付きキャップでは、頭皮に対して櫛体を当てる角度を定めることができないために、頭髪を梳く際に、櫛体の角度が変わると色むら、特に毛の根本に近い部分で色むらを生じるおそれがあり、使用者は櫛体を頭皮に対して直角に維持しながら梳く必要があった。
【０００５】
そこで、本発明では、主櫛歯片の両側にその先端が同じ高さとされた副櫛歯片を列設して、この両副櫛歯片を頭皮に当てれば、主櫛歯片を頭皮に直角に角度決めすることができるようにしている。
【０００６】
【課題を解決するための手段】
請求項１の発明では、列設された主櫛歯片には、容器本体内に連通して主櫛歯の側面に隣接する該主櫛歯片に向けて開口する注出口が設けられ、また、主櫛歯片の両側にその先端が同じ高さとされた副櫛歯片が列設されるとともに、副櫛歯片が、列設された主櫛歯片に対してそれぞれに直交する方向に設けられている
これにより、両副櫛歯片を頭皮に当接すれば、頭皮に対して主櫛歯片が直角に維持され、頭髪を梳くことができる。
【０００７】
請求項２の発明では、容器本体に取付けられるキャップ体と、主櫛歯片と副櫛歯片とを設けた櫛体をそれぞれ一体成形しているこれにより、櫛付きキャップが容易に製造できる。
【０００８】
【発明の効果】
以上説明したように、請求項１の発明では、列設された主櫛歯片には、容器本体内に連通して主櫛歯の側面に隣接する該主櫛歯片に向けて開口する注出口が設けられ、また、主櫛歯片の両側にその先端が同じ高さとされた副櫛歯片が列設されるとともに、副櫛歯片が、列設された主櫛歯片に対してそれぞれに直交する方向に設けられていることにより、使用者が容易かつ均一に頭髪染色液を塗布することができるという効果を奏する。
【０００９】
【発明の実施の形態】
以下、この発明を頭髪染色液を充填する容器に適用した一実施例を図１〜図４を参照して説明する。
この実施例では、有底筒状とされた容器本体１の広口の口縁１ａの外周に雄ねじ部１ｂが形成されている。この口縁１ａに櫛付きキャップ２が密閉状に取付けられている。
【００１０】
櫛付きキャップ２は、円筒状のキャップ体２０と、このキャップ体２０に嵌着される櫛体３０とにより構成され、それぞれがプラスチックの一体成形により形成されている。図１、２に示すように、キャップ体２０の内周には口縁１ａの雄ねじ部１ｂに外螺合する雌ねじ部が設けられ、また、キャップ体２０の頂面内側には、円形のキャップリブ２３が突出形成されて、容器本体１に螺合した際にその口縁１ａの先端がこのキャップ体２０とキャップリブ２３とにより弾接して、頭髪染色液の液漏れが防止されている。また、筒部２１の頂面に長方形の取付枠２２が一体形成されている。この取付枠２２の外周下部にはフランジ２４が設けられるとともに、その中間部位の外周に漏れ防止リブ２５（図３参照）が設けられている。
【００１１】
櫛体３０は、その下部に形成した取付ベース３１とこの取付ベース３１の上面に一体成形により立設した主櫛歯片３２と副櫛歯片３３とにより構成されている。
図３に示すように、取付ベース３１は、その下面側が取付枠２２に外嵌可能な略長方枠からなり、この長方形枠の内側にベースリブ３１ａが突出形成されて（図１参照）、取付枠２２に嵌合した際に取付枠２２の先端がこの取付ベース３１とベースリブ３１ａとの間に密着弾接し、また、取付ベース３１の下端面がフランジ２４に当接して液剤の液漏れを防止して取付固定される。
【００１２】
この取付ベース３１の上面中央に薄肉の平板状の５本の主櫛歯片３２が立設され、この５本の主櫛歯片３２の両側に同形の端部主櫛歯片３２ｃ、３２ｄが立設されて、合計７本により主櫛歯列が形成されている。各主櫛歯片３２は、図３に示すように、その内部に容器本体１内に連通する連通孔３２ａが取付ベース３１の下面から略３／４の高さ位置まで形成されている。そして、この連通孔３２ａの先端が、主櫛歯片３２の側面、すなわち、隣接する主櫛歯片３２に向けて注出口３２ｂが開口している。これによって、容器本体１内の頭髪染色液が、主櫛歯片３２の各片間に注出される。なお、主櫛歯列の最も外側に位置する端部主櫛歯片３２ｃ、３２ｄには、連通孔３２ａが設けられておらず、ここから頭髪染色液が流れ出ることはないようにされている。また、この主櫛歯列の両側に副櫛歯片３３を列設した副櫛歯列が立設されている。
【００１３】
各副櫛歯片３３は、図４に示すように、先細りの円形断面の柱状とされ、主櫛歯列の方向に対して主櫛歯片３２を設けた位置と直交する位置にそれぞれ７本が立設されている。これにより、頭髪を梳く際に、副櫛歯片３３が大きな抵抗とならないでスムーズに梳くことを可能にしている。また、副櫛歯片３３の櫛先は主櫛歯片３２と同じ高さに揃えられていて、両副櫛歯片の先端を頭皮に当接することにより、主櫛歯片３２を頭皮に対して垂直方向に位置決めすることが可能になる。
【００１４】
上記構成からなる実施例の櫛付きキャップ２を使用して頭髪に毛染め料などの液剤を塗布する場合について説明する。使用者は容器本体１を持ち、塗布する部位で、主櫛歯片３２の両側に設けた副櫛歯３３，３３の先端を頭皮に当接する。これにより、主櫛歯片３２が頭皮に対して直角方向に位置決めされる。そして、容器本体１内の毛染め料を注出口３２ｂから注出しながら頭髪を梳いていく。注出口３２ｂは、各主櫛歯片３２に向けて設けられているために、主櫛歯片３２の間に溜められる。この主櫛歯片３２の間に溜まった液剤は、梳かれた頭髪に付着して主櫛歯片３２から離れていく。そしてさらに副櫛歯片３３により延ばされて分散して頭髪に付着する。
【００１５】
以上説明したように、この実施例における櫛付きキャップ２は、キャップ体２０と、このキャップ体２０に取付けられる櫛体３０が別体とされ、さらにそれぞれがプラスチックの一体成形品であるためにその製造が容易である。
【００１６】
なお、この実施例では、主櫛歯片３２と副櫛歯片３３の櫛先を同じ高さにした例を示しているが、副櫛歯片３３を僅かに高くして実施することもできる。
また、各副櫛歯片３３を、主櫛歯列の方向に対して主櫛歯片３２を設けた位置と直交する位置に立設しているが、かならずしも直交する方向に設ける必要はなく、例えば、主櫛歯片３２と主櫛歯片３２との中間位置に設けることもできる。この構成により、頭髪を梳く際に、副櫛歯片３３による抵抗が大きくなるが、液剤を分散させる作用を大きくすることができる。
【図面の簡単な説明】
【図１】  縦断正面図
【図２】  縦断側面図
【図３】櫛付きキャップの分離斜視図
【図４】平面図
【符号の説明】
１…容器本体
２…櫛付きキャップ
２０…キャップ体
３０…櫛体
３２…主櫛歯片
３２ａ…連通孔
３２ｂ…注出口
３３…副櫛歯片
【図１】
0004721511.tif 000002
【図２】
0004721511.tif 000003
【図３】
0004721511.tif 000004
【図４】
0004721511.tif 000005